(57)【要約】【課題】  利用者が所望の番組のテレビ放送を容易に選択して受信可能とする。【解決手段】  ヘッドユニット１０には車内通信制御部１５を備え、この車両に搭乗者によって持ち込まれた車内持ち込みテレビ受信機器３０、４０、５０と通信可能としており、各車内持ち込みテレビ受信機器がテレビを受信するとき、そのテレビ局の情報と静止画をヘッドユニット１０の車内通信制御部１５で受信可能とする。テレビ小画面静止画表示部２１はこの静止画をメインモニタ１８に子画面で表示する。利用者がメインモニタ１８でテレビを視聴したいと思ったとき、好みの放送であると思われる任意の子画面を指示すると、テレビ受信部１４はその放送局を受信し、テレビ全画面動画表示部２２によってメインモニタ１８にその放送局のテレビを全画面表示する。【選択図】図１
2005328206.tif 000002
【特許請求の範囲】
【請求項１】
モニタにテレビ放送画像を表示するテレビ受信器と、
他のテレビ受信器と通信を行い、少なくとも前記他のテレビ受信器で受信している放送局データを取り込む通信制御手段と、
前記他のテレビ受信器で受信している放送の画像を前記モニタに子画面で表示するモニタ画像表示処理手段とを備え、
前記モニタ画像表示処理手段は、利用者によるモニタに表示している子画面の選択により、該子画面に表示しているテレビの放送局を受信して大画面に表示することを特徴とするテレビ放送選択受信装置。
【請求項２】
前記モニタに子画面で表示する前記他のテレビ受信器による画像は、静止画であることを特徴とする請求項１記載のテレビ放送選択受信装置。
【請求項３】
前記静止画は、前記他のテレビ受信器の受信に対応して更新して表示することを特徴とする請求項２記載のテレビ放送選択受信装置。
【請求項４】
前記モニタに子画面で表示する前記他のテレビ受信器による画像は、前記他のテレビ受信器から送信された画像であることを特徴とする請求項１記載のテレビ放送選択受信装置。
【請求項５】
前記通信制御手段は、前記他のテレビ受信器と無線で通信を行うことを特徴とする請求項１記載のテレビ放送選択受信装置。
【発明の詳細な説明】
【技術分野】
【０００１】
本発明は車両のヘッドユニットに接続したモニタ等に、搭乗者が車内に持ち込んだモバイル機器等のテレビ受信機器で受信しているテレビ放送のうち、所望の局のテレビ放送を選択して受信できるようにしたテレビ放送選択受信装置に関する。
【背景技術】
【０００２】
近年は車両にナビゲーション装置が広く搭載されるようになり、メインのモニタにナビゲーション用画面が表示されると共に、テレビ放送を受信してそのモニタに表示することも行われている。そのメインモニタに表示するテレビ放送は、運転者の安全運転に支障がないように、車両の走行中には表示できないようにすることが定められているが、停車中には運転者もテレビ放送を視聴することができ、例えば運転者が休憩をとるような時に自分の好みのテレビ放送を視聴することとなる。
【０００３】
また、近年のテレビ放送のデジタル化により、車両の移動中でもテレビ放送を良好に受信できるようになり、運転者以外の車両に登場している人は、持ち運び式のテレビにより、或いはテレビ放送受信機能付き携帯情報端末等のモバイル機器により、さらには今後広く普及が予想されているテレビ放送受信機能付き携帯電話により、車内でテレビを見ることが多くなる。そのため今後は搭乗者がそれぞれ別々のテレビ放送受信機と、別々のディスプレイでテレビ放送を楽しむ機会が多くなる。
【０００４】
一方、前記のようなテレビ放送のデジタル化により、放送中のデータに番組表を同時に送信することが行われるようになっており、利用者はテレビ放送の受信に際してはこの番組表を表示してその中から好きな番組の放送を受信することができる。また、その番組の選択に際しては、各放送局で現在放送している番組を、１つの画面を分割してマルチ画面化して各々の子画面に表示し、その中から利用者が容易に選択可能とすることも提案されている（特許文献１）。
【特許文献１】特開平６−５４２６９号公報
【発明の開示】
【発明が解決しようとする課題】
【０００５】
上記のように運転者がテレビ放送を視聴しようとしたとき、番組表を表示してその中から好みのものを選択すること、或いはマルチ画面化して各子画面に現在放送中の放送を表示してその中から好みのものを選択することは、現在でもデジタル放送の放送局が多く、今後更に多くなることが予想されているので、上記のような選択によって好みの番組を選んで視聴するには多くの時間がかかることとなる。
【０００６】
そのため、上記のように搭乗者が各々テレビ放送を視聴しているとき、運転者がテレビを視聴したいと思ったときには、例えば後部座席に座っている人と同じ放送を受信したいとき現在視聴中の放送局を聞き、運転者は手元のテレビ受信器を操作して、その放送局を選択してメインモニタで視聴することとなる。
【０００７】
しかしながらこのように現在受信している放送局を聞き、その放送局を選択して視聴することは煩わしく且つ多くの手数を必要とするため、より簡単に搭乗者が視聴している放送局を知って、それを直ちに選択し視聴できるようにすることが望まれる。
【０００８】
したがって本発明は、搭乗者が各々別個のテレビ放送受信機とディスプレイを所用し、別々の放送を受信することができるようになっている状態において、番組表から選択し、或いはマルチ画面に表示した各放送の中から選択するよな煩わしさが無く、他の人が受信しているテレビ放送の中から好みのものを容易に視聴することができるようにすることを主たる目的としている。
【課題を解決するための手段】
【０００９】
本発明によるテレビ放送選択受信装置は上記課題を解決するため、モニタにテレビ放送画像を表示するテレビ受信器と、他のテレビ受信器と通信を行い、少なくとも前記他のテレビ受信器で受信している放送局データを取り込む通信制御手段と、前記他のテレビ受信器で受信している放送の画像を前記モニタに子画面で表示するモニタ画像表示処理手段とを備え、前記モニタ画像表示処理手段は、利用者によるモニタに表示している子画面の選択により、該子画面に表示しているテレビの放送局を受信して大画面に表示することを特徴とする。
【００１０】
また、本発明による他のテレビ放送選択受信装置は、前記テレビ放送選択受信装置において、前記モニタに子画面で表示する前記他のテレビ受信器による画像を、静止画としたことを特徴とする。
【００１１】
また、本発明による他のテレビ放送選択受信装置は、前記テレビ放送選択受信装置において、前記静止画を前記他のテレビ受信器の受信に対応して更新して表示することを特徴とする。
【００１２】
また、本発明による他のテレビ放送選択受信装置は、前記テレビ放送選択受信装置において、前記モニタに子画面で表示する前記他のテレビ受信器による画像を、前記他のテレビ受信器から送信された画像としたことを特徴とする。
【００１３】
また、本発明による他のテレビ放送選択受信装置は、前記テレビ放送選択受信装置において、前記通信制御手段を、前記他のテレビ受信器と無線で通信を行うようにしたことを特徴とする。
【発明の効果】
【００１４】
本発明は上記のように構成したので、搭乗者が各々別個のテレビ放送受信機とディスプレイを所用し、別々の放送を受信することができるようになっている状態において、利用者が所望の番組の放送を選択する際、番組表の中から探す必要がなく、またマルチ画面に表示した各番組の中から選択するような煩わしさが無くなり、きわめて容易にその選択を行うことができるようになる。
【発明を実施するための最良の形態】
【００１５】
本発明は利用者が所望の番組のテレビ放送を容易に選択して受信するという課題を、モニタにテレビ放送画像を表示するテレビ受信器と、他のテレビ受信器と通信を行い、少なくとも前記他のテレビ受信器で受信している放送局データを取り込む通信制御手段と、前記他のテレビ受信器で受信している放送の画像を前記モニタに子画面で表示するモニタ画像表示処理手段とを備え、前記モニタ画像表示処理手段は、利用者によるモニタに表示している子画面の選択により、該子画面に表示しているテレビの放送局を受信して大画面に表示することによって実現した。
【実施例１】
【００１６】
図１には本発明の実施例の機能ブロック図を示しており、車両のフロントコンソールボックスに搭載されるヘッドユニット１０によって後述するような種々の機能を行い、ナビゲーション装置１１のナビゲーション画像出力部１２からの画像と、搭乗者が受信しているテレビの画面を子画面静止画状態で画像合成し、メインモニタ１８にこれを表示することができるようにしている。なお、図１における各機能部は、各機能を行う手段と言い換えることができる。
【００１７】
図示の例においてはヘッドユニット１０にテレビ受信部１４を備えた例を示しており、車内通信ＬＡＮを形成するための車内通信制御部１５において、テレビ受信検出部２３が、車内に持ち込まれた図中３個示されている各種の車内持ち込みテレビ受信機器３０、４０、５０と通信を行い、搭乗者が車内持ち込みテレビ受信器でテレビの受信を行ったことを検出したとき、受信局検出部２４がそのテレビ放送の受信が行われている受信局を検出し、別途指示があったときには前記テレビ受信部１４はそれと同じテレビ局の放送を受信することができるようにしている。
【００１８】
後述するように車内持ち込みテレビ受信機器３０、４０、５０から静止画が送信されてきたときには静止画受信部２５でこれを受信し、その画像をモニタ画像表示処理部１３に送り、テレビ小画面静止画表示部２１ではそれを所定の大きさの静止画とし、画像合成処理部２０は前記ナビゲーション装置１１のナビゲーション画像出力部１２からの画像と合成処理して、図１のメインモニタ１８に示す表示例のように、ナビゲーション表示画面中に子画面静止画の表示を行う。
【００１９】
このように表示されたテレビ子画面静止画を運転者が見て車両の停止中にこれらのうちの好きなテレビを見たいと思ったときには、車両の停止状態を検出する停車検出部１９からテレビ全画面動画表示部２２に停車信号が入り、また子画面選択指示検出部１６で運転者がいずれかの子画面の一つにタッチした信号、或いはリモコンで任意の子画面を選択した信号等が入ると、テレビ受信部１４が指示された局のテレビ放送を受信し、これをテレビ全画面動画表示部２２に出力する。それにより、モニタ画像表示処理部１３におけるテレビ全画面動画表示部２２が作動を行い、先にテレビ小画面静止画表示部２１で画面静止画を表示していた状態から、全画面に通常のテレビ画像である動画を表示するモードに切り換える。これにより、運転者は車両が停止している間、他の搭乗者のテレビ受信局変更やテレビ視聴停止に関わらず、このテレビの視聴を継続することができる。
【００２０】
一方、上記のような機能を行うことができるヘッドユニット１０を備えた車両に、他の搭乗者が例えばテレビ受信機能付き携帯用情報端末、或いはテレビ受信機能付き携帯電話、そのほか例えば携帯テレビ等の種々の態様の車内持ち込みテレビ受信機器３０、４０、５０を持ち込んだとき、各々の車内持ち込みテレビ受信機器に、例えばブルートゥース等の機器間通信装置からなる車内通信制御部３５、４５、５５を備えているときには、ヘッドユニット１０の車内通信制御部１５がこれらと交信することができるようにしている。
【００２１】
このような交信に際しては、各機器と種々の内容の交信を行うことができるが、図示実施例においては特にメインモニタ１８に各車内持ち込みテレビ受信機器で受信しているテレビの静止画を表示する機能を行うための最低限の機能として、各機器で実際にテレビを受信していることをテレビ受信検出部２３で、また受信しているテレビ局の情報を受信局検出部２４で、更に各機器で受信しているテレビ画面の１画面部分を静止画として送信されるときこれを受信する静止画受信部２５で周期的に検出することができるようにしている。
【００２２】
各車内持ち込みテレビ受信機器３０、４０、５０は、各々通常のテレビ受信機器の機能として、利用者の操作による受信局選択部３１、４１、５１を、指示された受信局のテレビを受信するテレビ受信部３２、４２、５２を備え、受信したテレビを表示するテレビ画像表示部３３、４３、５３、テレビ画面を表示するモニタ３４、４４、５４等を備え、更にヘッドユニット１０の車内通信ＬＡＮ制御部１５と前記のような通信を行うために、車内通信制御部３５、４５、５５を備えている。
【００２３】
上記のような機能ブロックから構成されるヘッドユニット１０を備えたテレビ放送選択受信装置は、例えば図２に示すような作動フローにしたがって順に作動させることができる。以下、この作動フローを前記図１の機能ブロック図、図３〜図５の説明図を参照しつつ説明する。
【００２４】
図２に示す車内持ち込みテレビ受信機器と通信を行ってメインモニタに表示を行うヘッドユニットの処理に際しては、最初車内ＬＡＮと接続して通信可能な機器の作動を定期的に検出処理することから行われる（ステップＳ１）。このときの車内通信ＬＡＮとしては現在パソコン間、或いはパソコンと付属機器間で行われているような無線ＬＡＮ、現在広く用いられるようになっているブルートゥース通信等、種々の態様の無線通信によって形成されるＬＡＮを利用することができる。
【００２５】
このようなヘッドユニットによる定期的な機器作動検出処理を行い、車内持ち込み機器によるテレビ受信を検出したか否かを判別し（ステップＳ２）、未だそのようなテレビ受信が検出されないときには、再びステップＳ１に戻って定期的な検出作動を繰り返す。この作動は図１の車内通信制御部１５におけるテレビ受信検出部２３がその検出作動を定期的に行い、ここでそのテレビ受信を検出することにより行われる。
【００２６】
ステップＳ２において車内持ち込み機器によるテレビ受信の開始を検出したと判別したときには、テレビ受信開始機器で受信している受信局の情報を検出し、そのテレビ放送の１画面である静止画と共に取り込む（ステップＳ３）。この作動は図１における車内通信制御部１５における受信局検出部２４と、静止画受信部２５で行う。
【００２７】
次いで、前記のようにして受信し取り込んだ静止画を、メインモニタに子画面で表示する処理を行う（ステップＳ４）。この処理は、図１におけるテレビ子画面静止画表示部２１が前記静止画受信部２５で受信した静止画を取り込み、画像合成処理部２０でこの静止画とナビゲーション装置１１におけるナビゲーション画像出力部１２の画像を、所定の画像合成処理を行うことによってなされる。
【００２８】
上記のような作動は、例えば図３の車両内模式図に示すように、車両６０のフロントコンソールボックス等にヘッドユニット６１が収納され、このヘッドユニット６１にメインモニタ６２が接続し、各種の画像表示を行うことができるようにしていると共に、ワイヤレス通信によってＬＡＮが形成されるようにし、それによってワイヤレスバスが構成されるようになっている。このような車両６０内に搭乗者１によって携帯情報端末等のモバイル機器６３が持ち込まれ、このモバイル機器６３には前記ヘッドユニット６１と同じ通信機能を備えることにより、ワイヤレスバスによって互いにデータ通信を行うことができるようになっているとき、このモバイル機器６３でテレビ受信がなされると、ヘッドユニットの要求により受信局のチャンネル情報と静止画を送信するようにしている。ヘッドユニット６１は受信した静止画を、図示するように予めナビゲーション用地図が表示されている画面の一部に子画面で表示する。
【００２９】
このような処理は例えば図４に示すように、搭乗者２がテレビ受信器付携帯電話６４を持ち込み、更に搭乗者３が携帯テレビを含むテレビ受信器付各種モバイル機器６５を持ち込んだとき、更にはこれらの機器にワイヤレスバスへの接続機能を備えているときには、それらの機器が車内でテレビ放送受信を行うときには、前記と同様にヘッドユニット６１と通信を行い、メインモニタ６２に各々子画面で静止画が表示される。なお、図４に示す例において、車内において各機器が順にテレビ受信を行ったとき、メインモニタに表示されている静止画は特にデータの交信がないときには最初の静止画がそのまま表示され、各機器でのテレビ受信画像は動画であるので、静止画とは異なった画面が表示されることとなるが、各機器のテレビ画面とメインモニタの子画面の表示の対応をわかりやすくするため、各々同一の画面が表示されている状態で図示している。
【００３０】
その後、利用者がメインモニタで受信する局を選択したか否かの判別を行う（ステップＳ５）。この判別は図１の子画面選択指示検出部１６により、前記のような利用者の画面タッチ、或いはリモコン操作等によって特定の子画面を指示したことを検出することにより行う。この判別の結果、利用者による特定の子画面の指示を検出したときには、車両は停止中か否かを判別し（ステップＳ１０）、停止中であるときには利用者が前記のようにして選択指示した子画面の局のテレビ放送をメインモニタに動画で表示、即ち通常のテレビ画面表示を行う。この作動は、図１におけるテレビ全画面動画表示部２２において、子画面選択指示部１６からの指示された放送局について、停車検出部１９で車両が停止していることを検出したときに、画像合成処理部２０の作動によってメインモニタ１８に通常のテレビ放送の表示をすることにより行う。
【００３１】
この状態は図５に示す例において、メインモニタ６２に、この車内に持ち込まれ各々テレビ放送を受信している３つの機器に対応する３つの子画面が（ａ）のように表示されているとき、利用者が停車中にいずれかの子画面を選択して指示すると、同図（ｂ）に示すように、選択した子画面のチャンネルの映像を１画面全体に表示する。それにより、運転者が停車中にテレビを見ようとするとき、搭乗者に適当な番組が無いかを聞くことなく、また番組を他の人に聞いた後メインモニタに表示するテレビの選局を行う作業をすることなく、容易に自分の好みの番組を直ちに受信することができる。また、他のテレビ受信器においてチャンネルを変更しても、そのテレビ受信器からの画像を直接受信してメインモニタに表示するのではなく、メインモニタ用のテレビ受信器で直接その受信を行っているので、それらのチャンネル変更に影響されることなく継続して受信を行うことができる。
【００３２】
前記ステップＳ５で利用者がメインモニタで受信する局を未だ選択していないと判別したとき、及びここで利用者がメインモニタで受信する局を選択したものの、ステップＳ１０で車両は停止していないと判別したときには、受信局の変更を検出したか否かを判別する（ステップＳ６）。即ち、この車両内に持ち込んだ前記のようなテレビ受信機器でテレビを受信しているとき、いずれかの搭乗者の機器でテレビ受信局を変更したか否かを検出する。これは図１の車内通信制御部１５の受信局検出部２４が定期的に各機器の受信局を検出することにより行われるが、そのほか車内持ち込みテレビ受信機器からヘッドユニットに受信局の情報を通知することによって行うこともできる。
【００３３】
ステップＳ６で受信局の変更を検出したと判別したときには、ヘッドユニットは新たな受信局とその受信局のテレビ画像の一部である静止画を受信し、メインモニタの子画面にその静止画を表示する（ステップＳ７）。この処理は図１の受信局検出部２４の信号を入力する受信局変更検出部１７で、先に受信していた局とは異なることを検出したときに、その受信局と静止画を受信して取り込むことによって行われる。
【００３４】
図示の実施例においてはその後に、また前記ステップＳ６で受信局の変更を検出しないと判別したときには、テレビ受信機器の受信停止を検出したか否かを判別する（ステップＳ８）。この判別は図１のテレビ受信検出部２３で車内持ち込みテレビ受信機器のいずれかがテレビ受信を停止したことを検出することにより行う。ステップＳ８でいずれかの機器でテレビ放送の受信を停止したことを検出したときには、受信停止機器対応の子画面表示作動を停止する（ステップＳ９）。この作動は前記のようにテレビ受信検出部２３でいずれかの機器でのテレビ受信の停止を検出したとき、テレビ子画面静止画表示部２１でその静止画を消去することによって行われる。
【００３５】
一方前記ステップＳ８においてテレビ受信機器の受信停止を検出していないと判別したときには、再びステップＳ１に戻って、車内通信ＬＡＮ可能機器の作動を定期的に検出する処理を行い、新たなテレビ受信機器の車内持ち込み等に対応し、以降同様の作動を繰り返す。なお、前記ステップＳ１１において選択した局のテレビをメインモニタに動画表示している状態で、車両の走行が開始された場合には再び前記と同様の子画面表示を行うこととなるが、図面が錯綜するので図示を省略している。
【実施例２】
【００３６】
上記実施例においては、車内に持ち込んだ機器で受信しているテレビ放送の静止画を、各機器から送信してもらい、それを受信してメインモニタに子画面静止画で表示する例を示したが、ヘッドユニット、或いは車両に搭載したテレビ受信器に、多数のチャンネルの子画面表示機能があるときには、各機器からは受信テレビ局に関する情報のみを送信してもらい、ヘッドユニットのテレビ受信器でそれらのテレビ局を全て受信し、その静止画をメインモニタに前記のように表示するようにしてもよい。また、前記実施例においてはメインモニタに表示する子画面画像を静止画とした例を示したが、車両停止時にはメインモニタで動画を見ることが許されるので、車両停止時には子画面に動画を表示させるように設定してもよい。
【実施例３】
【００３７】
また、前記実施例においては車内に持ち込んだ機器とヘッドユニットが無線ＬＡＮにより通信を行う例を示したが、近年車内に複数のテレビを配置し、搭乗者が適宜座席に近い位置にあるテレビを視聴することが一般乗用車でも行われるようになっているので、これらのテレビの視聴状態をヘッドユニットが前記のようにモニタし、停車時にいずれかのテレビの放送局と同じ放送局を受信するする際に、前記と同様の機能によって容易に上記作動を行わせることができる。その時には、例えば図６に示すように第１テレビとしてのメインモニタ７０と前記のように接続したヘッドユニット７１の車内用の有線ＬＡＮ７２を設け、これに第２テレビ７３、第３テレビ７４、第４テレビ７５を各々ＬＡＮ接続することによって、前記実施例と同様の作動を行わせることができる。
【００３８】
また、前記各実施例においてはヘッドユニットによってメインモニタに対する子画面表示処理等を行う例を示したが、別に設けたテレビ受信器の機能の一部とし、或いはナビゲーション装置の機能の一部として上記のような各種の機能を行わせることもできる。更に、前記実施例においては子画面を選択した後に表示するテレビ画像を、モニタ全面に表示する例を示したが、その際の画面は子画面より大きければ充分であり、したがって例えばモニタを２分割し、片側を地図画面表示とし、他側をテレビ画面とすることもできる。
【産業上の利用可能性】
【００３９】
本発明は上記のように車両に搭載したメインモニタに対して、車内に持ち込まれたテレビ受信機器によるテレビ受信をモニタに子画面表示し、利用者の好みによってそれを選択してメインモニタに通常のテレビ表示する際に特に有効であるが、車内に持ち込まれた各機器のモニタにおいても同様の表示処理が可能であり、このようなテレビ受信機器の機能として利用することもでき、更に前記のような車内に限らず、上記の機能を有効に利用しようとする所定空間内の任意人々の集合内で利用する等、より広い範囲で本発明を利用することもできる。
【図面の簡単な説明】
【００４０】
【図１】本発明の実施例の機能ブロック図である。
【図２】同実施例の作動フロー図である。
【図３】同実施例の作動の第１の状態を示す説明図である。
【図４】同実施例の作動の第２の状態を示す説明図である。
【図５】同実施例の作動の第３の状態を示す説明図である。
【図６】本発明の他の実施例の説明図である。
【符号の説明】
【００４１】
１０  ヘッドユニット
１１  ナビゲーション装置
１２  ナビゲーション画像出力部
１３  モニタ画像表示処理部
１４  テレビ受信部
１５  車内通信制御部
１６  子画面選択指示検出部
１７  受信局変更検出部
１８  メインモニタ
１９  停車検出部
２０  画像合成処理部
２１  テレビ子画面静止画表示部
２２  テレビ全画面動画表示部  
２３  テレビ受信検出部
２４  受信局検出部
２５  静止画受信部
３０、４０、５０  車内持ち込みテレビ受信機器
３１、４１、５１  受信局選択部
３２、４２、５２  テレビ受信部
３３、４３、５３  テレビ画像表示部
３４、４４、５４  車内通信制御部
【図１】
2005328206.tif 000003
【図２】
2005328206.tif 000004
【図３】
2005328206.tif 000005
【図４】
2005328206.tif 000006
【図５】
2005328206.tif 000007
【図６】
2005328206.tif 000008